(57)【要約】【課題】なりすまし行為による不正な通話料の発生や通話料の未払いを防止する制御装置、端末装置、及び発信者番号認証方法を提供すること。【解決手段】制御装置において、電話発信用信号を受信する着信部と、前記電話発信用信号に含まれる発信者電話番号を送信先とする応答信号を送信する信号送信部と、前記応答信号送信後、前記着信部において受信した電話認証用信号に基づいて、前記電話発信用信号に含まれる着信者電話番号を送信先とする前記電話発信用信号を送信する発信部とを備える。【選択図】図２
2017208662.tif 000002
【特許請求の範囲】
【請求項１】
電話発信用信号を受信する着信部と、
前記電話発信用信号に含まれる発信者電話番号を送信先とする応答信号を送信する信号送信部と、
前記応答信号送信後、前記着信部において受信した電話認証用信号に基づいて、前記電話発信用信号に含まれる着信者電話番号を送信先とする前記電話発信用信号を送信する発信部と
を備えることを特徴とする制御装置。
【請求項２】
更に、前記電話発信用信号に含まれる発信者電話番号と前記電話認証用信号に含まれる発信者電話番号が同一で、かつ、前記電話発信用信号に含まれる着信者電話番号と前記電話認証用信号に含まれる着信者電話番号が同一か否かを判別する着信判別部を備え、
前記発信部は、前記着信判別部において、前記電話発信用信号に含まれる発信者電話番号と前記電話認証用信号に含まれる発信者電話番号が同一で、かつ、前記電話発信用信号に含まれる着信者電話番号と前記電話認証用信号に含まれる着信者電話番号が同一であると判別されたとき、前記電話発信用信号を送信することを特徴とする請求項１記載の制御装置。
【請求項３】
前記着信判別部は、前記電話発信用信号に含まれる発信者電話番号と前記電話認証用信号に含まれる発信者電話番号が同一ではなく、又は、前記電話発信用信号に含まれる着信者電話番号と前記電話認証用信号に含まれる着信者電話番号が同一ではないと判別したとき、前記電話発信用信号と前記電話認証用信号を破棄することを特徴とする請求項２記載の制御装置。
【請求項４】
発信者電話番号と着信者電話番号を含む電話発信用信号を制御装置へ送信する発信部と、
前記制御装置から送信された応答信号を受信する信号受信部とを備え、
前記発信部は、前記応答信号に含まれる着信者電話番号と前記電話発信用信号に含まれる発信者電話番号が一致するとき、電話認証用信号を前記制御装置へ送信することを特徴とする端末装置。
【請求項５】
第１、第２、及び第３の端末装置と制御装置を有する通信システムにおける発信者番号認証方法であって、
前記第１の端末装置によって、電話発信用信号を前記制御装置へ送信し、
前記制御装置によって、前記電話発信用信号を受信し、前記電話発信用信号に含まれる発信者電話番号を送信先とする応答信号を送信し、
前記第１の端末装置によって、前記制御装置から受信した前記応答信号に含まれる着信者電話番号と前記電話発信用信号に含まれる発信者電話番号が一致するとき、電話認証用信号を前記制御装置へ送信し、
前記制御装置によって、前記応答信号送信後、受信した前記電話認証用信号に基づいて、前記電話発信用信号に含まれる着信者電話番号を送信先とする前記電話発信用信号を送信し、
前記第３の端末装置によって、前記制御装置から送信された前記電話発信用信号を受信する、
ことを特徴とする発信者番号認証方法。
【発明の詳細な説明】
【技術分野】
【０００１】
本発明は、制御装置、端末装置、及び発信者番号認証方法に関する。
【背景技術】
【０００２】
スマートフォンやタブレット端末などの端末装置の爆発的な台数の増加は現在も継続している。その一方で、標準化団体である３ＧＰＰ（3rd Generation Partnership Project）では、大容量で高速の無線ネットワークシステムの技術として、第５世代移動通信（5G:the 5th Generation mobile communication）が検討されている。
【０００３】
端末装置を利用するユーザ間の通話は、例えば、発信者番号と着信者番号などを端末装置間で交換することで行われる。複数の通信事業者で管理される端末装置どうしでも、通信事業者間で発信者番号と着信者番号などの情報が端末装置で交換されることで、ユーザ間の通話が可能となっている。
【０００４】
一方、悪意のあるユーザは端末装置を利用して所謂「なりすまし行為」を行う場合がある。「なりすまし行為」とは、例えば、他人のふりをして活動を行うことである。「なりすまし行為」としては、例えば、以下のような態様がある。
【０００５】
すなわち、発信者端末を利用する発信者は他の発信者端末の電話番号になりすまして着信者端末を利用する着信者と通話を行う場合がある。この場合、他の発信者端末の電話番号と着信者端末の電話番号が発信者端末から着信者端末へ送信される。そして、着信者端末には他の発信者端末の電話番号が表示される。また、通信事業者は、発信者端末から通話が行われたにも拘わらず、他の発信者端末から着信者端末への通話が行われたと判別する。通信事業者は、発信者端末ではなく、他の発信者端末を利用するユーザに対して通話料などを請求する。他方、発信者端末を利用する発信者は通話料を支払うことなく通話が可能となる。
【０００６】
なりすまし行為に対する技術として、例えば、以下がある。すなわち、受信した電子メールやＳＭＳ（Short Message Service）内に記述された電話番号や電子メールアドレスなどのリンク対象情報を電話帳ＤＢ（Data Base）から検索し、一致する場合に電話番号等の登録内容を表示させる携帯電話機がある。この技術によれば、発信元情報が偽装された場合でも、操作者に混乱を生じさせないように識別情報が限られたエリアに有効に表示する携帯電話機の提供が可能である、とされる。
【先行技術文献】
【特許文献】
【０００７】
【特許文献１】特開２００９−６０３５４号公報
【発明の概要】
【発明が解決しようとする課題】
【０００８】
しかし、リンク対象情報と電話帳ＤＢが一致する場合に登録内容を表示させる技術では、例えば、電話帳ＤＢに登録された電話番号を利用して「なりすまし行為」が可能な場合がある。すなわち、電話帳ＤＢに登録された電話番号を持つ発信者端末を利用するユーザは、電話帳ＤＢに登録された他の電話番号になりすまして通話を行うことが可能である。着信者端末は、当該他の電話番号（なりしました他の電話番号）を電話帳ＤＢに登録している場合、当該他の電話番号に関する登録内容を表示する。従って、発信者端末を利用するユーザは通話料を支払うことなく通話が可能となる。他方、通話を行わなかった他の発信者端末を利用するユーザに通話料が請求される。
【０００９】
そこで、一開示は、なりすまし行為による不正な通話料の発生や通話料の未払いを防止する制御装置、端末装置、及び発信者番号認証方法を提供することにある。
【課題を解決するための手段】
【００１０】
一開示は、制御装置において、電話発信用信号を受信する着信部と、前記電話発信用信号に含まれる発信者電話番号を送信先とする応答信号を送信する信号送信部と、前記応答信号送信後、前記着信部において受信した電話認証用信号に基づいて、前記電話発信用信号に含まれる着信者電話番号を送信先とする前記電話発信用信号を送信する発信部とを備える。
【発明の効果】
【００１１】
一開示によれば、なりすまし行為による不正な通話料の発生や通話料の未払いを防止する制御装置、端末装置、及び発信者番号認証方法を提供することができる。
【図面の簡単な説明】
【００１２】
【図１】図１は通信システムの構成例を表す図である。
【図２】図２は通信システムの構成例を表す図である。
【図３】図３は発信者端末の構成例を表す図である。
【図４】図４は制御システムの構成例を表す図である。
【図５】図５は着信者端末の構成例を表す図である。
【図６】図６は動作例を表すシーケンス図である。
【図７】図７は動作例を表すシーケンス図である。
【図８】図８（Ａ）は電話発信用信号、図８（Ｂ）は判別信号、図８（Ｃ）は応答信号、図８（Ｄ）は電話認証用信号のフレーム構成例をそれぞれ表す図である。
【図９】図９（Ａ）はメモリに記憶された電話発信用信号、図９（Ｂ）はメモリに記憶された待機中の電話発信用信号の例をそれぞれ表す図である。
【図１０】図１０（Ａ）はメモリに記憶された判別信号、図１０（Ｂ）はメモリに記憶された応答信号の例をそれぞれ表す図である。
【図１１】図１１は電話発信用信号と応答信号の送信又は受信の例を表す図である。
【図１２】図１２は電話発信用信号と応答信号の送信又は受信の例を表す図である。
【図１３】図１３は電話発信用信号と応答信号の送信又は受信の例を表す図である。
【図１４】図１４は発信者端末における動作例を表すフローチャートである。
【図１５】図１５は制御システムにおける動作例を表すフローチャートである。
【図１６】図１６は発信者端末における動作例を表すフローチャートである。
【図１７】図１７は着信者端末における動作例を表すフローチャートである。
【図１８】図１８は制御システムにおける動作例を表すフローチャートである。
【図１９】図１９は着信者端末における動作例を表すフローチャートである。
【図２０】図２０（Ａ）は発信者端末及び着信者端末、図２０（Ｂ）は制御システムのハードウェア構成例を表す図である。
【発明を実施するための形態】
【００１３】
以下、本発明を実施するための形態について説明する。なお、以下の実施例は開示の技術を限定するものではない。そして、各実施の形態は、処理内容を矛盾させない範囲で適宜組み合わせることが可能である。
【００１４】
また、本明細書に記載された用語や技術的内容は、ＩＥＥＥや３ＧＰＰなど通信に関する規格として仕様書に記載された用語や技術的内容が適宜用いられてもよい。
【００１５】
［第１の実施の形態］
図１は第１の実施の形態における通信システム１０の構成例を表す図である。通信システム１０は、第１、第２、及び第３の端末装置１００，１０１，２００と制御装置３００を備える。図１の例では、第１の端末装置１００が発信者端末、第３の端末装置２００が着信者端末であり、第１の端末装置１００からの要求により、第１の端末装置１００と第３の端末装置２００で通話が行われる場合の例を表している。
【００１６】
第１の端末装置１００は、宛先入力を行うなどして、電話発信用信号を生成し、生成した電話発信用信号を制御装置３００へ送信する。電話発信用信号には、例えば、発信者電話番号と着信者電話番号、タイムスタンプなどを含んでいる。
【００１７】
制御装置３００は、着信部３３０、信号送信部３３１、及び発信部３３２を備える。
【００１８】
着信部３３０は、電話発信用信号を受信する。信号送信部３３１は、電話発信用信号に含まれる発信者電話番号を送信先とする応答信号を送信する。発信部３３２は、応答信号送信後、着信部３３０において受信した電話認証用信号に基づいて、電話発信用信号に含まれる着信者電話番号を送信先とする電話発信用信号を送信する。
【００１９】
発信部３３２は、電話認証用信号に基づいて、例えば、電話認証用信号と電話発信用信号に含まれる電話番号を確認して、電話発信用信号を送信する。
【００２０】
例えば、第１の端末装置１００から送信される電話発信用信号に含まれる発信者電話番号が第１の端末装置１００の電話番号であるときは、信号送信部３３１は応答信号を第１の端末装置１００へ送信する。一方、なりすまし行為によって、第１の端末装置１００から送信される発信者電話番号が第２の端末装置の電話番号となっているとき、信号送信部３３１は応答信号を第２の端末装置１０１へ送信する。この場合、第２の端末装置１０１は、電話発信用信号を送信しておらず、応答信号を受信しても電話認証用信号を送信することはできない。
【００２１】
従って、第１の端末装置１００がなりすまし行為を行ったときは、制御装置３００は電話発信用信号を第３の端末装置２００へ送信することはない。他方、第１の端末装置１００がなりすまし行為を行うことなく正常に発信行為を行ったときは、制御装置３００は電話発信用信号を第３の端末装置２００へ送信し、第３の端末装置２００では発報することが可能となる。
【００２２】
よって、例えば、第１の端末装置１００がなりすまし行為を行ったときは、通話を行うことができず、なりすまし行為による不正な通話料の発生や通話料の未払いを防止することが可能となる。
【００２３】
［第２の実施の形態］
次に第２の実施の形態について説明する。
【００２４】
＜通信システムの構成例＞
図２は本第２の実施の形態における通信システム１０の構成例を表している。通信システム１０は、発信者端末１００と着信者端末２００、及び制御システム３００を備える。
【００２５】
発信者端末１００と着信者端末２００は、例えば、フィーチャーフォン、スマートフォン、タブレット端末、パーソナルコンピュータ、ゲーム装置などの端末装置である。発信者端末１００から着信者端末２００宛に通話の要求が行われ、その後、２つの端末１００，２００を利用するユーザ間（又は発信者と着信者間）で通話が行われる。発信者端末１００と着信者端末２００間は、例えば、通話以外にも、ＳＭＳ（Short Message Service）や電子メールなどのメッセージなどが交換されてもよい。本第２の実施の形態においては、主に通話について説明するが、このようなメッセージなどが交換される場合も適用可能である。発信者端末１００と着信者端末２００の詳細は後述する。
【００２６】
制御システム３００は、例えば、発信者端末１００と着信者端末２００との間での通信を制御する制御装置である。発信者端末１００と着信者端末２００間の通話は、制御システム３００を介して行われる。
【００２７】
また、制御システム３００は、例えば、発信者端末１００からの着信と着信者端末２００への発信を行う。この際、制御システム３００は、発信者端末番号宛に制御信号を送信したり、着信者端末番号宛に制御信号を送信したりする。制御システム３００は、例えば、このような制御信号の交換により、発信者端末１００がなりすまし行為を行っているか否かを確認し、その後、通話が可能となっている。なお、制御システム３００の詳細については後述する。
【００２８】
なお、発信者端末１００は、例えば、第１の実施の形態における第１の端末装置１００に対応する。また、着信者端末２００は、例えば、第１の実施の形態における第３の端末装置２００に対応する。さらに、制御システム３００は、例えば、第１の実施の形態における制御装置３００に対応する。
【００２９】
＜用語の説明＞
次に、本第２の実施の形態で用いられる用語について説明する。
【００３０】
発信者端末番号とは、例えば、発信者端末１００の電話番号である。また、着信者端末番号は、例えば、着信者端末２００の電話番号である。例えば、発信者端末番号は発信者電話番号又は発信者番号でもよいし、着信者端末番号は着信者電話番号又着信者番号であってもよい。
【００３１】
電話発信用信号とは、例えば、発信者が発信者端末１００を操作して発信操作を行ったときに発信者端末１００から制御システム３００へ送信される信号である。また、電話発信用信号は、制御システム３００から着信者端末２００へ送信される信号でもある。電話発信用信号には、例えば、電話発信号用信号であることを示す信号種別、タイムスタンプ、発信者端末番号、着信者端末番号などが含まれる。
【００３２】
発信信号履歴は、例えば、発信者端末１００内に作成する履歴情報である。履歴情報としては、例えば、電話発信用信号に含まれるタイムスタンプ、発信者端末番号、着信者端末番号などがある。
【００３３】
待機中の電話発信用信号は、例えば、制御システム３００内のメモリなどに記憶されて待機している電話発信用信号である。
【００３４】
応答信号は、例えば、制御システム３００が発信者端末１００から電話発信用信号を受信後、電話発信用信号に含まれる発信者端末番号宛に送信する信号である。応答信号には、例えば、応答信号であることを示す信号種別、タイムスタンプ、発信者端末番号、着信者端末番号などが含まれる。
【００３５】
判別信号は、例えば、制御システム３００が発信者端末１００から電話発信用信号を受信後、着信者端末番号宛へ送信する信号である。判別信号には、例えば、判別信号であることを示す信号種別、タイムスタンプ、発信者端末番号、着信者端末番号などが含まれる。
【００３６】
制御信号は、例えば、応答信号と判別信号を含む信号のことである。
【００３７】
なお、本第２の実施の形態においては、送信と発信、受信と着信は、区別しないで用いる場合がある。
【００３８】
＜全体動作例＞
次に、図２を参照して、通信システム１０における全体動作例について説明する。発信者端末１００は、着信者端末番号の入力などによって電話発信用信号を作成し、作成した電話発信用信号を制御システム３００へ送信する（Ｓ１）。
【００３９】
制御システム３００は、電話発信用信号を受信すると、判別信号を着信者端末番号宛へ送信し、応答信号を発信者端末番号宛へ送信する。図２の例では、着信者端末番号は着信者端末２００、発信者端末番号は発信者端末１００がそれぞれ有している。そのため、制御システム３００は、判別信号を着信者端末２００へ送信し（Ｓ２）、応答信号を発信者端末１００へ送信する（Ｓ３）。
【００４０】
発信者端末１００は、応答信号を受信すると、応答信号と電話発信用信号（Ｓ１）に基づいて、なりすまし行為ではなく正常に発信行為を行ったか否かを確認し、正常に発信行為を行ったことを確認すると電話認証用信号を作成し、作成した電話認証用信号を制御システム３００へ送信する（Ｓ４）。
【００４１】
制御システム３００は、電話認証用信号を受信すると、電話発信用信号（Ｓ１）と当該電話認証用信号を比較し、比較結果に基づいて電話発信用信号を着信者端末２００へ送信する（Ｓ５）。
【００４２】
着信者端末２００は、電話発信号用信号を受信すると、当該電話発信用信号と判別信号（Ｓ２）に基づいて同一の番号を保持しているか否かを判別し、同一の番号を保持しているときは発信音を発報する。
【００４３】
これにより、発信者と着信者で通話を行うことが可能となる。動作例の詳細については後述する。
【００４４】
以降では、通信システム１０に含まれる発信者端末１００、制御システム３００、及び着信者端末２００の構成例をそれぞれ説明し、次に、動作例を説明する。
【００４５】
＜発信者端末の構成例＞
図３は発信者端末１００の構成例を表す図である。発信者端末１００は、通話制御処理部１１０とメッセージ処理部１２０を備える。通話制御処理部１１０は、例えば、電話発信用信号や電話認証用信号の制御システム３００への送信を行う。また、メッセージ処理部１２０は、例えば、制御システム３００から送信された制御信号を受信して認証を行う。
【００４６】
通話制御処理部１１０は、宛先入力部１１１、発信部１１２、発信信号履歴作成部１１３、及び発信信号履歴保存部１１４を備える。
【００４７】
宛先入力部１１１は、例えば、通話の宛先となる着信者端末番号を入力する。宛先入力部１１１は、例えば、発信者端末１００の表示画面に表示された入力ボタンであってもよい。
【００４８】
発信部１１２は、宛先入力部１１１から着信者端末番号を受け取ると、当該着信者端末番号を含む電話発信用信号を作成し、作成した電話発信用信号を制御システム３００へ送信する。発信部１１２は、送信した電話発信用信号を発信信号履歴作成部１１３へ出力する。
【００４９】
また、発信部１１２は、信号比較部１２４から電話認証用信号の送信を指示されたとき、電話認証用信号を作成し、作成した電話認証用信号を制御システム３００へ送信する。
【００５０】
発信信号履歴作成部１１３は、発信部１１２から電話発信用信号を受け取ると、発信信号履歴を作成する。例えば、発信信号履歴作成部１１３は、電話発信用信号からタイムスタンプ、発信者電話番号、着信者電話番号などを抽出し、抽出したこれらの情報を発信信号履歴として発信信号履歴保存部１１４へ出力する。
【００５１】
発信信号履歴保存部１１４は、例えば、内部にメモリ１１４ａを備え、発信信号履歴作成部１１３から受け取った発信信号履歴を当該メモリ１１４ａに保存する。例えば、発信信号履歴保存部１１４は、発信信号履歴作成部１１３から受け取ったタイムスタンプ、発信者電話番号、着信者電話番号などを当該メモリ１１４ａに記憶する。なお、電話発信用信号に含まれるタイムスタンプは、例えば、発信部１１２における電話発信用信号の制御システム３００への送信時間又は発信部１１２における電話発信用信号の作成時間であってもよい。
【００５２】
メッセージ処理部１２０は、信号受信部１２１、信号判定部１２２、信号保存部１２３、信号比較部１２４、及び信号処理部１２５を備える。
【００５３】
信号受信部１２１は、制御システム３００から送信された応答信号などを受信する。信号受信部１２１は受信した応答信号などを信号判定部１２２へ出力する。
【００５４】
信号判定部１２２は、受信した信号が応答信号か否かを判別する。信号判定部１２２は、受信した信号が応答信号のときは、受信した応答信号を信号保存部１２３へ出力し、受信した信号が応答信号ではないときは、受信した信号を信号処理部１２５へ出力する。応答信号以外の信号としては、例えば、ＳＭＳや電子メールなどのアプリケーションに関連する信号などがある。
【００５５】
信号保存部１２３は、例えば、内部にメモリ１２３ａを備え、信号判定部１２２から受け取った応答信号を当該メモリ１２３ａへ記憶する。例えば、信号保存部１２３は、応答信号に含まれるタイムスタンプ、発信者電話番号、着信者電話番号などを抽出し、抽出したこれらの情報をメモリ１２３ａへ保存する。
【００５６】
信号比較部１２４は、信号保存部１２３から応答信号、発信信号履歴保存部１１４から発信信号履歴をそれぞれ読み出して、読み出した応答信号と同一の電話番号を発信者端末１００が保持しているか否かを判別する。信号比較部１２４は、同一の電話番号を保持していると判別したとき、電話認証用信号の送信を発信部１１２へ指示する。詳細については動作例で説明する。
【００５７】
信号処理部１２５は、信号判定部１２２から信号を受け取ると、当該信号の種別に応じた処理を行う。例えば、信号処理部１２５は、ＳＭＳや電子メールに関する信号を受け取ると、これらのアプリケーションに従った処理を行う。
【００５８】
＜制御システムの構成例＞
図４は制御システム３００の構成例を表す図である。制御システム３００は、通話制御処理部３１０とメッセージ処理部３２０を備える。通話制御処理部３１０は、例えば、発信者端末１００から送信された電話発信用信号と電話認証用信号の受信と、着信者端末２００への電話発信用信号の送信などを行う。また、メッセージ処理部３２０は、制御信号を作成し、作成した制御信号を発信者端末１００や着信者端末２００へ送信する。
【００５９】
通話制御処理部３１０は、着信部３１１、着信待機部３１２、着信判別部３１３、発信部３１４を備える。
【００６０】
着信部３１１は、発信者端末１００から送信された電話発信用信号と電話認証用信号を受信する。着信部３１１は、受信した電話発信用信号と電話認証信号を着信待機部３１２へ出力する。
【００６１】
着信待機部３１２は、受信した電話発信用信号を待機中の電話発信用信号として待機させる。例えば、着信待機部３１２は、内部にメモリ３１２ａを備え、電話発信用信号に含まれるタイムスタンプ、発信者端末番号、着信者端末番号などを抽出し、抽出したこれらの情報を当該メモリ３１２ａに記憶させることで、電話発信用信号を待機させる。他方、着信待機部３１２は、例えば、受信した電話認証用信号を待機させることなく、着信判別部３１３へ出力する。
【００６２】
着信判別部３１３は、待機中の電話発信用信号と受信した電話認証用信号を比較して、比較結果に基づいて、待機中の電話発信用信号を発信部３１４へ出力する。
【００６３】
発信部３１４は、電話発信用信号を着信判別部３１３から受け取ると、受け取った電話発信用信号を着信者端末２００へ送信する。
【００６４】
メッセージ処理部３２０は、信号作成部３２１と信号送信部３２２を備える。
【００６５】
信号作成部３２１は、待機中の電話発信用信号に基づいて、応答信号と判別信号を作成する。例えば、信号作成部３２１は、メモリ３１２ａに記憶された電話発信用信号に含まれる発信者端末番号宛の応答信号を作成する。また、例えば、信号作成部３２１は、メモリ３１２ａに記憶された電話発信用信号に含まれる着信者端末番号宛の判別信号を作成する。信号作成部３２１は、作成した応答信号と判別信号を信号送信部３２２へ出力する。
【００６６】
信号送信部３２２は、電話発信用信号に含まれる発信者端末番号宛へ応答信号を送信し、電話発信用信号に含まれる着信端末番号宛へ判別信号を送信する。
【００６７】
なお、着信部３１１と着信待機部３１２は、例えば、第１の実施の形態における着信部３３０に対応する。また、信号作成部３２１と信号送信部３２２は、例えば、第１の実施の形態における信号送信部３３１に対応する。さらに、着信判別部３１３と発信部３１４は、例えば、第１の実施の形態における発信部３３２に対応する。
【００６８】
＜着信者端末の構成例＞
図５は着信者端末２００の構成例を表す図である。着信者端末２００は、通話制御処理部２１０とメッセージ処理部２２０を備える。
【００６９】
通話制御処理部２１０は、例えば、制御システム３００から送信された電話発信号用信号の受信を行う。また、メッセージ処理部２２０は、例えば、制御システム３００から送信された制御信号を受信し認証を行う。
【００７０】
通話制御処理部２１０は、着信部２１１、着信待機部２１２、及び着信音発報部２１３を備える。
【００７１】
着信部２１１は、制御システム３００から送信された電話発信用信号を受信する。着信部２１１は、受信した電話発信用信号を着信待機部２１２へ出力する。
【００７２】
着信待機部２１２は、着信部２１１から受け取った電話発信用信号を待機させる。例えば、着信待機部２１２は、内部にメモリを備え、電話発信用信号に含まれるタイムスタンプ、発信者電話番号、着信者電話番号などを抽出し、抽出したこれらの情報を当該メモリに記憶する。
【００７３】
着信音発報部２１３は、信号比較部２２４からの指示に従って着信音を発報する。例えば、着信音発報部２１３は、着信者端末２００内のメモリに記憶された着信音のデータを読み出して音声に変換し、変換した音声をスピーカから出力することで、着信音を発報してもよい。
【００７４】
メッセージ処理部２２０は、信号受信部２２１、信号判定部２２２、信号保存部２２３、信号比較部２２４、及び信号処理部２２５を備える。
【００７５】
信号受信部２２１は、制御システム３００から送信された判別信号を受信する。信号受信部２２１は、例えば、制御システム３００から送信された判別信号以外の信号を受信してもよい。このような信号の例としては、ＳＭＳや電子メールに関する信号などがある。
【００７６】
信号判定部２２２は、信号受信部２２１から受け取った信号が判別信号か否かを判別する。信号判定部２２２は、受け取った信号が判別信号のときは、当該判別信号を信号保存部２２３へ出力し、受け取った信号が判別信号以外の信号のときは、当該信号を信号処理部２２５へ出力する。
【００７７】
信号保存部２２３は、信号判定部２２２から受け取った判別信号を保存する。例えば、信号保存部２２３は、メモリ２２３ａを備え、判別信号に含まれるタイムスタンプ、発信者端末番号、着信者端末番号を抽出し、抽出したこれらの情報をメモリ２２３ａに記憶する。
【００７８】
信号比較部２２４は、着信待機部２１２から待機中の電話発信用信号、信号保存部２２３から判別信号をそれぞれ読み出し、読み出した電話発信用信号と判別信号を比較して、読み出した応答信号と同一の電話番号を持つ電話発信信号を着信者端末２００が保持しているか否かを判別する。信号比較部２２４は、応答信号と同一の電話番号を保持しているとき、着信音発報部２１３に対して着信音の発報を指示する。他方、信号比較部２２４は同一の電話番号を保持していないとき、着信音の発報を指示しない。或いは、信号比較部２２４は、例えば、応答信号と電話発信用信号が同一の電話番号のとき、着信音を発報させるようにしている。
【００７９】
信号処理部２２５は、信号判定部２２２から信号を受け取ると、当該信号の種別に応じた処理を行う。例えば、信号処理部２２５は、ＳＭＳに関する信号や電子メールに関する信号を受け取ると、各アプリケーションに従った処理を行う。
【００８０】
＜動作例＞
次に通信システム１０における動作例について説明する。動作例は、図６から図１３を用いて通信システム１０全体のシーケンス例を説明する。次に、発信者端末１００、制御システム３００、及び着信者端末２００の各々で行われる動作例について図１４から図１９を用いて説明する。
【００８１】
＜通信システム全体のシーケンス例＞
図６は通信システム１０の動作例を表すシーケンス図である。本動作例も、発信者端末１００と着信者端末２００の間で通話が行われる場合の例を表している。
【００８２】
発信者端末１００が起動されると（Ｓ１０）、宛先となる着信者端末番号が入力される（Ｓ１１）。
【００８３】
次に、発信者端末１００は、電話発信用信号を作成し、作成した電話発信用信号を制御システム３００へ送信する（Ｓ１２）。例えば、発信部１１２は、着信者端末番号「０９０−９９９９−９９９９」、発信者端末番号「０９０−１１１１−１１１１」、及び信号作成時間（又は信号送信時間）「１２：００：００」を含む当該電話発信用信号を作成して送信する。
【００８４】
図８（Ａ）は電話発信用信号のフレームの構成例を表す図である。当該フレームには、電話発信用信号であることを示す信号種別、タイムスタンプ、発信元の識別番号を示すＦｒｏｍ用番号、着信先の識別番号を示すＴｏ用番号の各フィールドが含まれる。例えば、発信部１１２は、タイムスタンプフィールドに「１２：００：００」、Ｆｒｏｍ用番号フィールドに発信者端末１００の発信者端末番号「０９０−１１１１−１１１１」、Ｔｏ用番号フィールドに着信者端末２００の着信者端末番号「０９０−９９９９−９９９９」を含む電話発信用信号を作成する。発信元と着信先の識別番号は、例えば、ＩＰ（Internet Protocol）アドレスであってもよい。
【００８５】
図６に戻り、発信者端末１００は電話発信用信号を送信後、電話発信用信号の履歴を作成し、電話発信用信号履歴をメモリ１１４ａに保存する（Ｓ１３）。例えば、発信信号履歴保存部１１４は、着信者端末番号「０９０−９９９９−９９９９」、発信者端末番号「０９０−１１１１−１１１１」、及びタイムスタンプ「１２：００：００」をメモリ１１４ａに保存する。
【００８６】
図９（Ａ）はメモリ１１４ａにおける発信信号履歴の記憶例を表す図である。発信信号履歴は、例えば、図９（Ａ）に示すようにデータベース構造となっていてもよい。例えば、タイムスタンプフィールドには、タイムスタンプ「１２：００：００」、Ｆｒｏｍ番号フィールドには発信者端末番号「０９０−１１１１−１１１１」、Ｔｏ番号フィールドには着信者端末番号「０９０−９９９９−９９９９」が記憶される。
【００８７】
図６に戻り、制御システム３００は、発信者端末１００から送信された電話発信用信号を受信すると（Ｓ１４）、着信した電話発信用信号を待機させる（Ｓ１５）。例えば、着信待機部３１２は、各フィールドから、タイムスタンプ「１２：００：００」、発信者端末番号「０９０−１１１１−１１１１」、着信者端末番号「０９０−９９９９−９９９９」などを抽出し、抽出したこれらの情報をメモリ３１２ａに記憶する。図９（Ｂ）はメモリ３１２ａにおける待機中の電話発信用信号の記憶例を表している。
【００８８】
図６に戻り、次に、制御システム３００は、待機中の電話発信用信号に基づいて、判別信号を着信者端末２００へ送信する（Ｓ１６）。例えば、信号作成部３２１は、待機中の電話発信用信号に含まれる着信者端末番号「０９０−９９９９−９９９９」宛の判別信号を生成する。図８（Ｂ）は判別信号のフレーム構成例を表す図である。この場合、信号作成部３２１は、Ｆｒｏｍ用番号には発信者端末１００の発信者端末番号「０９０−１１１１−１１１１」、Ｔｏ用番号には着信者端末２００の着信者端末番号「０９０−９９９９−９９９９」を含む判別信号を作成する。
【００８９】
ここで、制御システム３００は、着信者端末番号宛の判別信号を着信者端末２００へ送信することが可能な理由について以下説明する。
【００９０】
各端末１００，２００は、制御システム３００へ接続する際に、制御システム３００に対して位置登録処理を行う。制御システム３００では、位置登録処理により、各端末１００，２００がどの基地局に接続されているのかなどにより、各端末１００，２００の現在位置などを把握することが可能となる。例えば、以下のようにして位置登録処理が行われる。
【００９１】
すなわち、各端末１００，２００は、位置登録の際に、自局の電話番号と、自端末を他端末と識別する端末識別番号を制御システム３００へ送信する。また、基地局は、自基地局において端末１００，２００が位置登録を行った場合、自基地局の識別情報を制御システム３００へ送信する。制御システム３００は、端末１００の識別番号と端末１００の電話番号、及び端末１００が位置登録を行った基地局の識別情報を結び付けて関連情報としてメモリに保存する。また、制御システム３００は、端末２００の識別番号と端末２００の電話番号、及び端末２００が位置登録を行った基地局の基地局情報を結び付けて関連情報としてメモリに保存する。これにより、例えば、制御システム３００は、ある識別番号を有する端末１００の電話番号がどの端末の電話番号であって、そのような識別番号（又は電話番号）を持つ端末１００がどの基地局に現在接続されているのかを把握することが可能となる。また、制御システム３００は、他の識別番号を有する端末２００の電話番号がどの端末の電話番号であって、そのような識別番号（又は電話番号）を持つ端末２００がどの基地局に現在接続されているのかを把握することが可能である。
【００９２】
従って、制御システム３００は、このような関連情報に基づいて、例えば、電話番号「０９０−９９９９−９９９９」を有し、かつ、ある基地局に接続している端末２００に対して、電話番号「０９０−９９９９−９９９９」宛の判別信号を、当該基地局を介して送信することが可能となる。
【００９３】
後述する応答信号についても同様である。例えば、制御システム３００は、関連情報に基づいて、電話番号「０９０−１１１１−１１１１」を有し、かつ、ある基地局に接続している端末１００に対して、電話番号「０９０−１１１１−１１１１」宛の判別信号を、当該基地局を介して送信することが可能となる。
【００９４】
なお、このような関連情報は、制御システム３００ではなく、他の装置などに保持されてもよい。この場合、制御システム３００は当該他の基地局から関連情報を取得して、当該電話番号宛の送信を行ってもよい。
【００９５】
例えば、信号作成部３２１や信号送信部３２２は、関連情報に基づいて、着信者端末番号「０９０−９９９９−９９９９」宛の判別信号を、着信者端末２００へ送信する。
【００９６】
着信者端末２００は、判別信号を受信すると（Ｓ１７）、当該判別信号をメモリ２２３ａに保存する（Ｓ１８）。図１０（Ａ）はメモリ２２３ａにおける判別信号の記憶例を表している。
【００９７】
図６に戻り、一方、制御システム３００は、待機中の電話発信用信号に基づいて、応答信号を発信者端末１００へ送信する（Ｓ１９）。例えば、信号作成部３２１は、待機中の電話発信用信号に含まれる発信者端末番号「０９０−１１１１−１１１１」宛の応答信号を作成する。
【００９８】
図８（Ｃ）は応答信号のフレーム構成例を表す図である。例えば、信号作成部３２１は、Ｔｏ用番号フィールドに発信者端末番号である「０９０−１１１１−１１１１」、Ｆｒｏｍ用番号フィールドに制御システム３００のＩＰアドレスをそれぞれ含む応答信号を作成する。また、信号作成部３２１は、例えば、タイムスタンプフィールドに応答信号を送信した時間又は応答信号を作成した時間「１２：００：０２」を含む当該応答信号を作成する。さらに、信号作成部３２１は、他のフィールドに電話発信用信号の着信者端末番号である「０９０−９９９９−９９９９」を含む当該応答信号を作成する。
【００９９】
この場合も、判別信号と同様に、制御システム３００は関連情報に基づいて応答信号を端末１００へ送信することが可能である。すなわち、制御システム３００では、端末１００の電話番号、端末１００が現在どの基地局に接続しているのか、などに基づいて、発信者端末番号「０９０−１１１１−１１１１」を有する発信者端末１００へ、応答信号を送信することが可能である。
【０１００】
ここで、なりすまし行為が行われた場合の電話発信用信号と応答信号の関係例について、図１１から図１３を用いて説明する。
【０１０１】
例えば、図１１に示すように、発信者端末１００が自局の電話番号「０９０−１１１１−１１１１」ではなく、成りすまし行為により、「０９０−１２３４−１２３４」で電話発信用信号を送信した場合を考える。この場合、制御システム３００は、関連情報に基づいて、発信者端末番号「０９０−１２３４−１２３４」宛に応答信号を送信する（Ｓ３’）。すなわち、制御システム３００は、関連情報に基づいて、発信者端末番号「０９０−１２３４−１２３４」を有する端末がどの基地局に接続されているのかを把握している。そのため、制御システム３００は、当該基地局を介して、発信者端末番号「０９０−１２３４−１２３４」を有する端末へ、応答信号を送信することが可能となる。この場合、なりすまし行為を行った発信者端末１００へは応答信号が送信されない。
【０１０２】
他方、図１２に示すように、発信者端末１００が、なりすまし行為を行うことなく正常に発信者端末番号「０９０−１１１１−１１１１」を利用して電話発信用信号を送信した場合を考える。この場合、制御システム３００は、関連情報に基づいて、応答信号を当該端末１００へ送信することが可能となる（Ｓ３）。電話発信用信号を送信した発信者端末１００に対して応答信号が送信されることになる。
【０１０３】
また、図１３に示すように、他の端末１０１（例えば第１の実施の形態における第２の端末装置１０１に対応する）によるなりすまし行為により発信者端末１００の発信者端末番号「０９０−１１１１−１１１１」が利用された場合（Ｓ１’）を考える。この場合、制御システム３００は、関連情報に基づいて、応答信号を発信者端末１００へ送信する（Ｓ３’’）。この場合、発信者端末１００は自局で電話発信用信号を送信していないにも拘わらず応答信号を受信することになる。
【０１０４】
このように制御システム３００では、関連情報に基づいて、発信者端末番号を有する端末１００へ判別信号を送信することで、発信者端末番号宛へ判別信号を送信することが可能となる。
【０１０５】
図６に戻り、次に、発信者端末１００は制御システム３００から送信された応答信号を受信し（Ｓ２０）、受信した応答信号をメモリ１２３ａに保存する（Ｓ２１）。図１０（Ｂ）はメモリ１２３ａにおける応答信号の記憶例を表している。
【０１０６】
図６に戻り、発信者端末１００は、応答信号を保存すると（Ｓ２１）、発信信号履歴と応答信号を比較して、発信信号履歴と応答信号のタイムスタンプが一定時間内であり、かつ、同一の番号を有しているか否かを判別する（図７のＳ２２）。例えば、信号比較部１２４は、発信信号履歴のＦｒｏｍ番号フィールドの発信者端末番号「０９０−１１１１−１１１１」と、応答信号のＴｏ番号フィールドの着信者端末番号「０９０−１１１１−１１１１」が一致するか否かを判別する。
【０１０７】
ここで、発信者端末１００が電話発信用信号の発信者端末番号と応答信号の着信者端末番号を比較するのは、例えば、以下の理由による。
【０１０８】
すなわち、例えば、図１１から図１３に示すように、制御システム３００は電話発信用信号に含まれる発信者端末番号宛に応答信号を送信する（Ｓ３，Ｓ３’，Ｓ３’’）。従って、応答信号は発信者端末番号を有する端末へ送信されることになる。発信者端末１００がなりすまし行為を行うことなく電話発信用信号を送信した場合、応答信号は当該発信者端末１００において受信される。従って、発信者端末１００では、電話発信用信号の発信者端末番号と、応答信号の着信者端末番号が一致するか否かを確認することで、発信者端末１００自身が自局の電話番号を利用したものであり、なりすまし行為ではないことを確認することが可能である。
【０１０９】
また、発信者端末１００と着信者端末２００が同時（又は一定時間内）に互いの電話番号を用いてなりすまし行為を行う場合もあり得る。この場合、発信者端末１００はなりすまし行為により電話発信号用信号（発信者端末番号、着信者端末番号ともに「０９０−９９９９−９９９９」）を送信し、着信者端末２００において応答信号を受信する。着信者端末２００においてもなりすまし行為により電話発信用信号（発信者端末番号、着信者端末番号ともに「０９０−１１１１−１１１１」）を送信し、発信者端末１００において応答信号（着信者端末番号「０９０−１１１１−１１１１」）を受信する。この場合、発信者端末１００では、発信信号履歴の発信者端末番号「０９０−９９９９−９９９９」と、応答信号の着信者端末番号「０９０−１１１１−１１１１」を比較すると、両者は一致しない。従って、発信者端末１００は、両者を比較することで、発信者端末１００と着信者端末２００で同時（又は一定時間内）になりすまし行為を行ったか否かの確認も可能となる。
【０１１０】
なお、発信者端末１００においてタイムスタンプが一定時間内か否かを確認しているのは、例えば、図１１に示すように、電話発信用信号を送信したにも拘わらず応答信号を受信しない場合を考慮したものである。この場合、発信者端末１００において、なりすまし行為が行われることになるため、発信信号履歴のタイムスタンプと応答信号のタイムスタンプが一定時間内か否かの確認により、なりすまし行為の確認も可能となる。
【０１１１】
図７に戻り、発信者端末１００は、発信信号履歴と応答信号のタイムスタンプが一定時間内であり、かつ、同一の番号を有していると判別すると、電話認証用信号を制御システム３００へ発信する（Ｓ２３）。図８（Ｄ）は電話認証用信号のフレーム構成例を表している。例えば、発信部１１２は、タイムスタンプには電話認証信号を送信又は作成した時間「１２：００：０３」、Ｆｒｏｍ用番号フィールドには発信者端末番号「０９０−１１１１−１１１１」、Ｔｏ用番号フィールドには着信者端末番号「０９０−９９９９−９９９９」を含む電話認証用信号を作成する。電話認証用信号の発信者端末番号と着信者端末番号は、電話発信用信号（Ｓ１２）の発信者端末番号と着信者端末番号とそれぞれ同一となっている。
【０１１２】
図７に戻り、制御システム３００は電話認証用信号を受信し（Ｓ２４）、受信した電話認証用信号と待機中の電話発信用信号を比較して、電話認証用信号と同一の電話番号を持つ電話発信用信号を保持しているか否かを判別する（Ｓ２５）。例えば、着信判別部３１３は、電話認証信号の着信者端末番号と発信者端末番号が、待機中の電話発信用信号の着信者端末番号と発信者端末番号とそれぞれ同一か否かを判別する。図７では２つの信号の電話番号が同一の場合の例を表している。
【０１１３】
制御システム３００は、電話認証用信号と同一の電話番号を保持していると判別したとき、待機中の電話発信用信号を着信者端末番号宛へ送信する（Ｓ２６）。例えば、発信部３１４は、関連情報に基づいて、待機中の電話発信用信号（Ｔｏ用番号として着信者端末番号「０９０−９９９９−９９９９」、Ｆｒｏｍ用番号として発信者端末番号「０９０−１１１１−１１１１」）を着信者端末２００へ送信する。電話発信用信号のフレーム構成例は、例えば、図８（Ａ）に示すものであってもよい。
【０１１４】
図７に戻り、着信者端末２００は、制御システム３００から送信された電話発信用信号を受信する（Ｓ２７）。そして、着信者端末２００は、受信した電話発信用信号の発信者端末番号と、判別信号の発信者端末番号を比較し、電話発信用信号の発信者端末番号と同一の発信者端末番号を保持しているか否かを判別する（Ｓ２８）。
【０１１５】
着信者端末２００は、電話発信用信号の発信者端末番号と同一の発信者端末番号を保持していると判別したときは、着信音を発報し、発信者端末１００からの発信があることを着信者に知らせる。（Ｓ２９）。
【０１１６】
そして、着信者端末２００は保存した判別信号を削除する（Ｓ３０）。また、発信者端末１００においても保存した応答信号と発信信号履歴を削除する（Ｓ３１，Ｓ３２）。
【０１１７】
以降では、発信者端末１００、制御システム３００、及び着信者端末２００の各々で行われる動作例について説明する。
【０１１８】
＜電話発信用信号送信の際の発信者端末の動作例＞
図１４は電話発信用信号送信の際の発信者端末１００における動作例を表すフローチャートである。図１４に示す動作例は、例えば、図６のＳ１０からＳ１３に対応する。
【０１１９】
発信者端末１００は、処理を開始すると（Ｓ５０）、発信者により発信者端末１００が起動され（Ｓ５１（Ｓ１０））、宛先の入力が行われる（Ｓ５２（Ｓ１１））。
【０１２０】
次に、発信者端末１００は、電話発信用信号を作成し、作成した電話発信用信号を制御システム３００へ送信する（Ｓ５３（Ｓ１２））。
【０１２１】
次に、発信者端末１００は、発信信号履歴を作成し（Ｓ５４（Ｓ１３））、作成した発信信号履歴をメモリ１１４ａに保存する（Ｓ５５（Ｓ１３））。
【０１２２】
次に、発信者端末１００はタイマーを起動する（Ｓ５６）。例えば、発信者端末１００は、タイマーにより、電話発信用信号を送信後（又は電話発信用信号履歴作成後、或いは電話発信用信号履歴を保存後）、制御システム３００から応答信号を受信するまでの時間をカウントする。例えば、発信信号履歴保存部１１４は電話発信用信号履歴を保存した後、信号受信部１２１に対してその旨を通知し、信号受信部１２１は当該通知を受けてタイマーの起動を開始する。タイマーは、例えば、信号受信部１２１内に含まれてもよい。なお、タイマーの起動開始は、電話発信用信号送信直後（Ｓ５４）でもよいし、発信信号履歴作成直後（Ｓ５４（Ｓ１３））でもよい。
【０１２３】
そして、発信者端末１００は信号受信待機状態へと移行する（Ｓ５７）。
【０１２４】
＜電話発信用信号受信から応答信号送信までの制御システムの動作例＞
図１５は、電話発信用信号受信後、応答信号送信までの制御システム３００における動作例を表すフローチャートである。図１５に示す動作例は、例えば、図６のＳ１４からＳ１６，及びＳ１９に対応する。
【０１２５】
制御システム３００は、処理を開始すると（Ｓ６０）、発信者端末１００から電話発信用信号を受信し（Ｓ６１（Ｓ１４））、受信した電話発信用信号を待機させる（Ｓ６２（Ｓ１５））。
【０１２６】
次に、制御システム３００は、判別信号を作成し（Ｓ６３）、作成した判別信号を着信者端末番号宛へ送信する（Ｓ６４（Ｓ１６））。
【０１２７】
次に、制御システム３００は、応答信号を作成し（Ｓ６５）、作成した応答信号を発信者端末番号宛へ送信する（Ｓ６６（Ｓ１９））。
【０１２８】
次に、制御システム３００は、タイマーを起動する（Ｓ６７）。例えば、着信部３１１は内部タイマーを備え、信号送信部３２２から応答信号を送信した旨の通知を受けると、タイマーの起動を開始する。例えば、制御システム３００は、タイマーにより、応答信号送信後、発信者端末１００から電話認証用信号を受信するまでの時間をカウントする。
【０１２９】
そして、制御システム３００は信号受信待機状態へ移行する（Ｓ６８）。
【０１３０】
＜応答用信号受信の際の発信者端末の動作例＞
図１６は、発信者端末１００において、応答信号を制御システム３００から受信する際の動作例を表すフローチャートである。図１６に示す動作例は、例えば、図６のＳ２０から図７のＳ２３、及びＳ３１からＳ３２に対応する。
【０１３１】
発信者端末１００は、信号受信待機状態（Ｓ５７）において、一定時間内に信号を受信したか否かを判別する（Ｓ７０）。例えば、信号受信部１２１は、制御システム３００から信号を受信したとき、起動させたタイマー（図１４のＳ５６）のカウント時間を取得し、取得したカウント時間が一定時間内か否かにより判別する。
【０１３２】
発信者端末１００は、一定時間内に信号を受信したとき（Ｓ７０でｙｅｓ，Ｓ７１（Ｓ２０））、受信した信号が応答信号か否かを判別する（Ｓ７２）。例えば、信号判定部１２２は受信した信号の信号種別（例えば図８（Ｃ））に基づいて応答信号か否かを判別する。
【０１３３】
発信者端末１００は、受信した信号が応答信号のとき（Ｓ７２でｙｅｓ）、応答信号をメモリ１２３ａに保存する（Ｓ７３（Ｓ２１））。
【０１３４】
次に、発信者端末１００は、応答信号と発信信号履歴のタイムスタンプが一定時間内で、かつ、応答信号と同一の発信者番号及び着信者端末番号を保持しているか否かを判別する（Ｓ７４（Ｓ２２））。例えば、信号比較部１２４は、発信信号履歴のタイムスタンプ「１２：００：００」と応答信号のタイムスタンプ「１２：００：０２」の差が一定時間内か否かを判別する。さらに、例えば、信号比較部１２４は、発信信号履歴のＦｒｏｍ番号フィールドの発信者端末番号「０９０−１１１１−１１１１」と、応答信号のＴｏ番号フィールドの着信元端末番号「０９０−１１１１−１１１１」が一致しているか否かを判別する。
【０１３５】
発信者端末１００は、応答信号と発信信号履歴のタイムスタンプが一定時間内で、かつ、応用信号と同一の発信者端末番号及び着信者端末番号を保持しているとき（Ｓ７４でｙｅｓ）、電話認証用信号を制御システム３００へ送信する（Ｓ７５（Ｓ２３））。発信者端末１００は、例えば、なりすまし行為を行うことなく正常に発信行為を行ったことを確認したことで、電話認証用信号を制御システム３００へ送信している。
【０１３６】
次に、発信者端末１００は、応答信号をメモリ１２３ａから削除し（Ｓ７６（Ｓ３１））、発信信号履歴をメモリ１１４ａから削除する（Ｓ７７（Ｓ３２））。
【０１３７】
そして、発信者端末１００は一連の処理を終了する（Ｓ７８）。
【０１３８】
一方、発信者端末１００は、応答信号と発信信号履歴のタイムスタンプが一定時間内ではないとき、又は、応答信号と同一の発信者端末番号及び着信者端末番号を保持していないとき（Ｓ７４でｎｏ）、電話認証用信号を送信することなく、Ｓ７６以降の処理を行う。この場合は、発信者端末１００がなりすまし行為を行ったか（例えば図１１）、或いは、発信者端末１００がなりすましの行為を受けた場合（例えば図１３）である。このような場合は、発信者端末１００は電話認証用信号を制御システム３００へ送信しない。発信者端末１００は、電話認証用信号を送信しないことで、例えば、自端末がなりすまし行為に関わっていることを制御システム３００へ知らせている、と考えることも可能である。
【０１３９】
一方、発信者端末１００は、受信した信号が応答信号ではないとき（Ｓ７２でｎｏ）、受信した信号に対応した処理を行い（Ｓ７９）、Ｓ７０の処理へ移行する。
【０１４０】
一方、発信者端末１００は、一定時間内に制御システム３００から信号を受信していないとき（Ｓ７０でｎｏ）、発信信号履歴を削除し（Ｓ７７（Ｓ３２））、一連の処理を終了する（Ｓ７８）。
【０１４１】
＜判別信号受信の際の着信者端末の動作例＞
図１７は、判別信号受信の際の着信者端末２００の動作例を表すフローチャートである。図１７に示す動作例は、例えば、図６のＳ１７とＳ１８に対応する。
【０１４２】
着信者端末２００は、処理を開始すると（Ｓ８０）、信号を受信し（Ｓ８１（Ｓ１７））、受信した信号が判別信号か否かを判別する（Ｓ８２）。例えば、信号判定部２２２は、受信した信号の信号種別（例えば図８（Ｂ））に基づいて判別信号か否かを判別する。
【０１４３】
着信者端末２００は、受信した信号が判別信号のとき（Ｓ８２でｙｅｓ）、受信した判別信号をメモリ２２３ａに保存する（Ｓ８３（Ｓ１８））。
【０１４４】
次に、着信者端末２００は、タイマーを起動する（Ｓ８４）。例えば、信号受信部２２１は、判別信号受信したときに内部タイマーの起動を開始させる。例えば、着信者端末２００は、タイマーにより、判別信号を受信後、電話発信用信号を制御システム３００から受信するまでの時間をカウントする。
【０１４５】
そして、着信者端末２００は、電話発信用信号の受信待機状態へ移行する（Ｓ８５）。
【０１４６】
一方、着信者端末２００は、受信した信号が判別信号ではないときは、受信した信号の種別に対応した処理を行い（Ｓ８６）、Ｓ８１の処理へ移行する。
【０１４７】
＜判別信号及び応答信号送信後の制御システムにおける動作例＞
図１８は、判別信号及び応答信号送信後の制御システム３００における動作例を表すフローチャートである。図１８に示す動作例は、例えば、例えば、図７のＳ２４からＳ２６に対応する。
【０１４８】
制御システム３００は、信号受信待機状態に移行後（Ｓ６８）、一定時間内に信号を受信したか否かを判別する（Ｓ９０）。例えば、着信部３１１は、発信者端末１００から送信された信号を受信したとき、起動させたタイマー（図１５のＳ６７）のカウント時間を取得し、取得したカウント時間が一定時間内か否かにより判別する。
【０１４９】
制御システム３００は、一定時間内に信号を受信したとき（Ｓ９０でｙｅｓ，Ｓ９１）、受信した信号が電話認証用信号であるか否かを判別する（Ｓ９２（Ｓ２４））。例えば、着信判別部３１３は、受信した信号の信号種別（例えば図８（Ｄ））に基づいて電話認証用信号か否かを判別する。
【０１５０】
制御システム３００は、受信した信号が電話認証用信号であるとき（Ｓ９２でｙｅｓ）、受信した電話認証用信号と同一の発信端末番号及び着信端末番号を持つ電話発信用信号を保持しているか否かを判別する（Ｓ９３（Ｓ２５））。上述したように、着信判別部３１３は、例えば、電話認証用信号の着信者端末番号と待機中の電話発信用信号の着信端末番号が同一で、かつ、電話認証用信号の発信者端末番号と待機中の電話発信用信号の発信者端末番号が同一であるか否かを判別する。
【０１５１】
制御システム３００は、受信した電話認証用信号と同一の発信端末番号及び着信端末番号を持つ電話発信用信号を保持しているとき（Ｓ９３でｙｅｓ）、待機中の電話発信用信号を着信者端末２００へ送信する（Ｓ９４（Ｓ２６））。
【０１５２】
そして、制御システム３００は一連の処理を終了する（Ｓ９５）。
【０１５３】
一方、制御システム３００は、受信した電話認証用信号と同一の発信端末番号及び着信端末番号を持つ電話発信用信号を保持していないとき（Ｓ９３（Ｓ２５）でｎｏ）、受信した電話認証用信号を破棄し（Ｓ９７）、待機中の電話発信用信号も破棄する（Ｓ９８）。この場合は、例えば、制御システム３００は、電話認証用信号を受信しても、対応する待機中の電話発信用信号を保持していない場合である。この場合、制御システム３００では、受信した電話認証用信号を破棄し、当該電話認証信号に対応しない待機中の電話発信用信号を破棄する。例えば、着信判別部３１３は、メモリ３１２ａに記憶された電話発信用信号を破棄し、受け取った電話認証用信号を破棄する。
【０１５４】
そして、制御システム３００は一連の処理を終了する（Ｓ９５）。
【０１５５】
一方、制御システム３００は、受信した信号が電話認証用信号でないとき（Ｓ９２でｎｏ）、受信した信号が待機中の電話発信用信号と同一の着信者端末宛の信号であるか否かを判別する（Ｓ９６）。
【０１５６】
ここでは、例えば、以下のような場合を想定している。すなわち、発信者端末Ａが着信者端末Ｂへ発信中に発信者端末Ｃから着信者端末Ｂへ発信行為が行われる場合がある。複数の発信者端末から同一の着信者端末へ電話発信用信号が送信される場合である。この場合、制御システム３００は、先行する発信者端末Ａから着信者端末Ｂへの電話発信用信号を待機させる。その後、発信者端末Ａは制御システム３００へ電話認証用信号を送信する。しかし、発信者端末Ｃが当該電話認証用信号の送信より早いタイミングで、着信者端末Ｂ宛の電話発信用信号を送信した場合、制御システム３００は、同一の着信者端末Ｂ宛の発信者端末Ａからの電話発信用信号と、発信者端末Ｃからの電話発信用信号の２つの信号を受信する。この場合、制御システム３００は、２つの電話発信用信号を共存して保持している状態となる。
【０１５７】
このように、制御システム３００は、待機中の電話発信用信号と同一の着信者端末２００宛への信号を受信したとき（Ｓ９６でｙｅｓ）、先行して受信した電話発信用信号を優先し、後発の電話発信用信号を破棄する（Ｓ９７，Ｓ９８）。例えば、着信判別部３１３は、先行する発信者端末Ａから着信者端末Ｂ宛の電話発信用信号を優先し、後発の発信者端末Ｃから着信者端末Ｂ宛の電話発信用信号を破棄する。
【０１５８】
そして、制御システム３００は一連の処理を終了する（Ｓ９５）。
【０１５９】
一方、制御システム３００は、同一の着信者端末宛の信号を受信していないとき（Ｓ９６でｎｏ）、図１５のＳ６２へ移行する。
【０１６０】
ここでは、例えば、以下のような場合を想定している。すなわち、先行して発信者端末Ａから着信者端末Ｂへの発信と、後発の発信者端末Ｃから着信者端末Ｄへの発信の２つの発信が行われる場合がある。そして、発信者端末Ａが電話認証用信号を制御システム３００へ送信するより早いタイミングで、発信者端末Ｃが着信者端末Ｄ宛の電話発信用信号を制御システム３００へ送信する場合がある。この場合、制御システム３００では、発信者端末Ａから着信者端末Ｂへ電話発信用信号と、発信者端末Ｃから着信者端末Ｄへの電話発信用信号を共存して保持する。この場合、２つの電話発信用信号について着信者端末が異なる相手となっているため、競合することはない。従って、制御システム３００などにおいては、２つの電話発信用信号を共存させて、各々の電話発信用信号に対して上述した処理を行うようにする。そのため、図１５のＳ６２へ処理を移行させて、各々の電話発信用信号に対して制御システム３００などで上述した処理を行わせるようにしている。例えば、着信判別部３１３は、先行して待機させた電話発信用信号と同様に、後発で受信した電話発信用信号を着信待機部３１２において待機させるようにしてもよい。
【０１６１】
図１８に戻り、一方、制御システム３００は、一定時間内に信号を受信しないとき（Ｓ９０でｎｏ）、待機中の電話発信用信号をメモリ３１２ａから破棄し（Ｓ９８）、一連の処理を終了する（Ｓ９５）。
【０１６２】
＜電話発信用信号受信の際の着信者端末の動作例＞
図１９は、電話発信用信号を受信する際の着信者端末２００の動作例を表すフローチャートである。図１９に示す動作例は、例えば、図７のＳ２７からＳ３０までに対応する。
【０１６３】
着信者端末２００は、電話発信用信号の受信待機状態のとき（Ｓ８５）、一定時間内に制御システム３００から電話発信用信号を受信したか否かを判別する（Ｓ１００）。例えば、信号受信部２２１は、制御システム３００から送信された信号を受信したとき、起動させたタイマー（図１５のＳ８４）のカウント時間を取得し、取得したカウント時間が一定時間内か否かにより判別する。
【０１６４】
着信者端末２００は、一定時間内に電話発信用信号を受信すると（Ｓ１００でＹｅｓ、Ｓ１０１（Ｓ２７））、受信した電話発信用信号と判別信号が同一の発信者端末番号であるか否かを判別する（Ｓ１０２（Ｓ２８））。上述したように、例えば、信号比較部２２４は、受信した電話発信用信号の発信者端末番号と保存した判別信号の発信者端末番号が一致しているか否かにより判別する。或いは、信号比較部２２４は、例えば、電話発信用信号の発信者端末番号が判別信号の発信者端末番号と同一で、かつ、電話発信用信号の着信者端末番号と判別信号の着信者端末番号と同一であるか否かを判別してもよい。
【０１６５】
着信者端末２００は、電話発信用信号と判別信号が同一の発信者端末番号のとき（Ｓ１０２でｙｅｓ）、着信者端末２００の着信音を発報する（Ｓ１０３（Ｓ２９））。
【０１６６】
そして、着信者端末２００は判別信号をメモリ２２３ａから削除し（Ｓ１０４（Ｓ３０））、一連の処理を終了する（Ｓ１０５）。
【０１６７】
一方、着信者端末２００は、受信した電話発信者用信号と判別信号が同一の発信者端末番号ではないとき（Ｓ１０２でｎｏ）、受信した電話発信用信号を破棄する（Ｓ１０６）。例えば、信号比較部２２４は、同一の発信者端末番号ではないと判別したとき、着信待機部２１２において保持された電話発信用信号を破棄する。
【０１６８】
そして、着信者端末２００は、保存した判別信号を削除し（Ｓ１０４（Ｓ３０））、一連の処理を終了する（Ｓ１０５）。
【０１６９】
一方、着信者端末２００は、一定時間内に制御システム３００から信号を受信しないとき（Ｓ１００でｎｏ）、判別信号を削除し（Ｓ１０４）、一連の処理を終了する（Ｓ１０５）。
【０１７０】
このように本第２の実施の形態においては、例えば、制御システム３００における応答信号の発信者番号宛への送信と、発信者端末１００における発信行為の確認により、発信者端末１００に対する認証（又は発信者に対する認証）を行うことが可能となる。
【０１７１】
これにより、例えば、発信者端末１００がなりすまし行為を行っても、応答信号は発信者端末１００へは送信されず、発信者端末１００からは電話認証信号は制御システム３００へ送信されない。従って、制御システム３００は電話発信用信号を発信者電話番号宛へ送信することなく、なりすまし行為を行った発信者端末１００と着信者端末２００の間で通話が成立しない。また、制御システム３００は発信者番号宛へ応答信号を送信するため、当該番号を有するなりすまされた他の端末が応答信号を受信する。他の端末は、応答信号を受信しても電話発信用信号を送信していないため、電話認証用信号を送信しない。この場合、制御システム３００では、電話認証用信号を受信することがないため、電話発信用信号を着信者電話番号宛へ送信することはなく、なりすまされた他の端末と着信者端末２００の間でも通話は成立しない。よって、本通信システム１０においては、なりすまし行為による不正な通話料の発生や通話料の未払いを防止することが可能となる。
【０１７２】
［その他の実施の形態］
次にその他の実施の形態について説明する。図２０（Ａ）は発信者端末１００、図２０（Ｂ）は制御システム３００のハードウェアの構成例をそれぞれ表す図である。なお、図２０（Ａ）は着信者端末２００のハードウェアの構成例も表している。
【０１７３】
発信者端末１００は、ＣＰＵ（Central Processing Unit）１５０、ＲＯＭ（Read Only Memory）１５１、ＲＡＭ（Random Access Memory）１５２、メモリ１５３、及び無線部１５４を備える。
【０１７４】
ＣＰＵ１５０は、ＲＯＭ１５１に記憶されたプログラムを読み出して、ＲＡＭ１５２にロードし、ロードしたプログラムを実行する。これにより、例えば、ＣＰＵ１５０は、第２の実施の形態における宛先入力部１１１、発信部１１２、発信信号履歴作成部１１３、信号判定部１２２、信号比較部１２４、及び信号処理部１２５の機能を実行することが可能となる。ＣＰＵ１５０は、例えば、宛先入力部１１１、発信部１１２、発信信号履歴作成部１１３、信号判定部１２２、信号比較部、及び信号処理部１２５に対応する。また、無線部１５４は、例えば、第２の実施の形態における発信部１１２と信号受信部１２１に対応する。さらに、メモリ１５３は、例えば、第２の実施の形態における発信信号履歴保存部１１４と信号保存部１２３に対応する。
【０１７５】
また、ＣＰＵ１５０は、ロードしたプログラムを実行することで、第２の実施の形態における着信部２１１、着信音発報部２１３、信号判定部２２２、及び信号処理部２２５の機能を実行することが可能である。従って、ＣＰＵ１５０は、例えば、着信部２１１、着信音発報部２１３、信号判定部２２２、及び信号処理部２２５に対応する。また、無線部１５４は、例えば、第２の実施の形態における着信部２１１、信号受信部２２１に対応する。さらに、メモリ１５３は、第２の実施の形態における着信待機部２１２と信号保存部２２３に対応する。
【０１７６】
制御システム３００は、ＣＰＵ３５０、ＲＯＭ３５１、ＲＡＭ３５２、メモリ３５３、及びＩＦ（Interface）３５４を備える。ＣＰＵ３５０は、ＲＯＭ３５１に記憶されたプログラムを読み出してＲＡＭ３５２にロードし、ロードしたプログラムを実行することで、第２の実施の形態における着信判別部３１３と信号作成部３２１の機能を実行することが可能である。ＣＰＵ３５０は、例えば、着信判別部３１３と信号作成部３２１に対応する。また、メモリ３５３は、例えば、第２の実施の形態における着信待機部３１２に対応する。さらに、ＩＦ３５４は、例えば、第２の実施の形態における着信部３１１、発信部３１４、及び信号送信部３２２に対応する。
【０１７７】
上述した実施の形態において、着信者端末２００では判別信号と電話発信用信号を比較する例（例えば図７のＳ２８）について説明した。例えば、着信者端末２００ではこのような比較を行うことなく、電話発信用信号を受信したとき、着信音を発報するようにしてもよい。例えば、制御システム３００から電話認証用信号が着信者端末２００へ送信される時点で、発信者端末１００においてなりすまし行為がなく正常に発信行為を行ったことが十分確認されているからである。この場合、制御システム３００は判別信号を送信しなくてもよい。
【０１７８】
以上まとめると付記のようになる。
【０１７９】
（付記１）
電話発信用信号を受信する着信部と、
前記電話発信用信号に含まれる発信者電話番号を送信先とする応答信号を送信する信号送信部と、
前記応答信号送信後、前記着信部において受信した電話認証用信号に基づいて、前記電話発信用信号に含まれる着信者電話番号を送信先とする前記電話発信用信号を送信する発信部と
を備えることを特徴とする制御装置。
【０１８０】
（付記２）
前記信号送信部は、前記電話発信用信号に含まれる発信者電話番号を着信先、前記制御装置を発信元とする前記応答信号を送信することを特徴とする付記１記載の制御装置。
【０１８１】
（付記３）
前記信号送信部は、前記電話発信用信号を受信したとき、前記電話発信用信号に含まれる着信者端末番号を送信先とし、前記電話発信用信号と同一の発信者電話番号と着信者電話番号を有する判別信号を送信することを特徴とする付記１記載の制御装置。
【０１８２】
（付記４）
更に、前記電話発信用信号に含まれる発信者電話番号と前記電話認証用信号に含まれる発信者電話番号が同一で、かつ、前記電話発信用信号に含まれる着信者電話番号と前記電話認証用信号に含まれる着信者電話番号が同一か否かを判別する着信判別部を備え、
前記発信部は、前記着信判別部において、前記電話発信用信号に含まれる発信者電話番号と前記電話認証用信号に含まれる発信者電話番号が同一で、かつ、前記電話発信用信号に含まれる着信者電話番号と前記電話認証用信号に含まれる着信者電話番号が同一であると判別されたとき、前記電話発信用信号を送信することを特徴とする付記１記載の制御装置。
【０１８３】
（付記５）
前記着信判別部は、前記電話発信用信号に含まれる発信者電話番号と前記電話認証用信号に含まれる発信者電話番号が同一ではなく、又は、前記電話発信用信号に含まれる着信者電話番号と前記電話認証用信号に含まれる着信者電話番号が同一ではないと判別したとき、前記電話発信用信号と前記電話認証用信号を破棄することを特徴とする付記４記載の制御装置。
【０１８４】
（付記６）
更に、前記応答信号送信後、前記着信部において受信した信号が前記電話認証用信号以外の信号であって、当該信号の着信者電話番号と前記電話発信用信号の着信者電話番号が同一のとき、当該信号を破棄する着信判別部を備えることを特徴とする付記１記載の制御装置。
【０１８５】
（付記７）
更に、前記電話発信用信号を記憶するメモリを備え、
前記着信判別部は、前記着信部において受信した信号が前記電話認証用信号以外の信号であって、当該信号の着信者電話番号と前記電話発信用信号の着信者電話番号が同一ではないとき、当該信号を前記メモリに記憶することを特徴とする付記６記載の制御装置。
【０１８６】
（付記８）
発信者電話番号と着信者電話番号を含む電話発信用信号を制御装置へ送信する発信部と、
前記制御装置から送信された応答信号を受信する信号受信部とを備え、
前記発信部は、前記応答信号に含まれる着信者電話番号と前記電話発信用信号に含まれる発信者電話番号が一致するとき、電話認証用信号を前記制御装置へ送信することを特徴とする端末装置。
【０１８７】
（付記９）
前記発信部は、前記応答信号の送信時間又は作成時間と、前記電話発信用信号の送信時間又は作成時間が一定時間内のときであって、前記応答信号に含まれる着信者電話番号と前記発信用信号に含まれる発信者電話番号が一致するとき、前記電話認証用信号を前記制御装置へ送信することを特徴とする付記８記載の端末装置。
【０１８８】
（付記１０）
更に、信号比較部を備え、
前記信号比較部は、前記応答信号に含まれる着信者電話番号と前記電話発信用信号に含まれる発信者電話番号が一致するとき、前記発信部に対して前記電話認証用信号の送信を指示し、
前記発信部は当該指示に従って前記電話認証用信号を送信することを特徴とする付記８記載の端末装置。
【０１８９】
（付記１１）
前記発信部は、前記電話発信用信号に含まれる発信者電話番号と着信者電話番号と同一の発信者電話番号と着信者電話番号を有する前記電話認証用信号を送信することを特徴とする付記８記載の端末装置。
【０１９０】
（付記１２）
制御装置から送信された判別信号を受信する信号受信部と、
前記制御装置から送信された電話発信用信号を受信する着信部と、
前記判別信号に含まれる発信者電話番号及び着信者電話番号が、前記電話発信用信号に含まれる発信者電話番号及び着信者電話番号とそれぞれ一致するとき、着信音を発報させる信号比較部と
を備えることを特徴とする端末装置。
【０１９１】
（付記１３）
第１、第２、及び第３の端末装置と制御装置を有する通信システムにおける発信者番号認証方法であって、
前記第１の端末装置によって、電話発信用信号を前記制御装置へ送信し、
前記制御装置によって、前記電話発信用信号を受信し、前記電話発信用信号に含まれる発信者電話番号を送信先とする応答信号を送信し、
前記第１の端末装置によって、前記制御装置から受信した前記応答信号に含まれる着信者電話番号と前記電話発信用信号に含まれる発信者電話番号が一致するとき、電話認証用信号を前記制御装置へ送信し、
前記制御装置によって、前記応答信号送信後、受信した前記電話認証用信号に基づいて、前記電話発信用信号に含まれる着信者電話番号を送信先とする前記電話発信用信号を送信し、
前記第３の端末装置によって、前記制御装置から送信された前記電話発信用信号を受信する、
ことを特徴とする発信者番号認証方法。
【０１９２】
（付記１４）
第１、第２、及び第３の端末装置と制御装置を有する通信システムにおいて、
前記第１の端末装置は、
発信者電話番号と着信者電話番号を含む電話発信用信号を制御装置へ送信する第１の発信部と、
前記制御装置から送信された応答信号を受信する第１の信号受信部とを備え、
前記第１の発信部は、前記応答信号に含まれる着信者電話番号と前記電話発信用信号に含まれる発信者電話番号が一致するとき、電話認証用信号を前記制御装置へ送信し、
前記制御装置は、
前記電話発信用信号を受信する第１の着信部と、
前記電話発信用信号に含まれる発信者電話番号を送信先とする応答信号を送信する信号送信部と、
前記応答信号送信後、受信した前記電話認証用信号に基づいて、前記電話発信用信号に含まれる着信者電話番号を送信先とする前記電話発信用信号を送信する第２の発信部とを備え、
前記第３の端末装置は、
前記制御装置から送信された前記電話発信用信号を受信する第２の着信部を備える
ことを特徴とする通信システム。
【０１９３】
（付記１５）
着信部と、信号送信部と、発信部を備える制御装置における発信者番号認証方法であって、
前記着信部によって、電話発信用信号を受信し、
前記信号送信部によって、前記電話発信用信号に含まれる発信者電話番号を送信先とする応答信号を送信する信号送信部と、
前記発信部によって、前記応答信号送信後、前記着信部において受信した電話認証用信号に基づいて、前記電話発信用信号に含まれる着信者電話番号を送信先とする前記電話発信用信号を送信する
ことを特徴とする発信者番号認証方法。
【０１９４】
（付記１６）
発信部と信号受信部を備える端末装置における発信者番号認証方法であって、
前記発信部により、発信者電話番号と着信者電話番号を含む電話発信用信号を制御装置へ送信し、
前記信号受信部により、前記制御装置から送信された応答信号を受信し、
前記発信部により、前記応答信号に含まれる着信者電話番号と前記電話発信用信号に含まれる発信者電話番号が一致するとき、電話認証用信号を前記制御装置へ送信する
ことを特徴とする発信者番号認証方法。
【０１９５】
（付記１７）
信号受信部と、着信部と、信号比較部とを備える端末装置における発信者番号認証方法であって、
前記信号受信部により、制御装置から送信された判別信号を受信し、
前記着信部により、前記制御装置から送信された電話発信用信号を受信し、
前記信号比較部により、前記判別信号に含まれる発信者電話番号及び着信者電話番号が、前記電話発信用信号に含まれる発信者電話番号及び着信者電話番号とそれぞれ一致するとき、着信音を発報させる
ことを特徴とする発信者番号認証方法。
【符号の説明】
【０１９６】
１０：通信システム                    １００：発信者端末
１１０：通話制御処理部                １１２：発信部
１１３：発信信号履歴作成部            １１４：発信信号履歴保存部
１１４ａ：メモリ                      １２０：メッセージ処理部
１２１：信号受信部                    １２３：信号保存部
１２３ａ：メモリ                      １２４：信号比較部
２００：着信者端末                    ２１０：通話制御処理部
２１２：着信待機部                    ２１３：着信音発報部
２２０：メッセージ処理部              ２２１：信号受信部
２２２：信号判定部                    ２２３：信号保存部
２２３ａ：メモリ                      ２２４：信号比較部
３００：制御システム                  ３１０：通話制御処理部
３１１：着信部                        ３１２：着信待機部
３１２ａ：メモリ                      ３１３：着信判別部
３１４：発信部                        ３２０：メッセージ処理部
３２１：信号作成部                    ３２２：信号送信部
【図１】
2017208662.tif 000003
【図２】
2017208662.tif 000004
【図３】
2017208662.tif 000005
【図４】
2017208662.tif 000006
【図５】
2017208662.tif 000007
【図６】
2017208662.tif 000008
【図７】
2017208662.tif 000009
【図８】
2017208662.tif 000010
【図９】
2017208662.tif 000011
【図１０】
2017208662.tif 000012
【図１１】
2017208662.tif 000013
【図１２】
2017208662.tif 000014
【図１３】
2017208662.tif 000015
【図１４】
2017208662.tif 000016
【図１５】
2017208662.tif 000017
【図１６】
2017208662.tif 000018
【図１７】
2017208662.tif 000019
【図１８】
2017208662.tif 000020
【図１９】
2017208662.tif 000021
【図２０】
2017208662.tif 000022